(57)【要約】【課題】地震、風水害等の災害時・水道管の老朽化・水道工事以外の工事に依る破損時と渇水に依る減圧によって給水不能となり断水が発生した時に、この事態でも人間の健康保持に最小限の水道水が必要で、水道水を簡便に貯水し、断水で停電でも通常時と同様に屋内の水栓（流し台等）よりの使用を可能にする小型貯水槽が必要である。【解決手段】本発明は、通常使用している水栓より高い位置に、プラスチック製容器１の中に金属製容器２を入れて、その隙間に保温材３を入れた二重化された容器の、内容量１００リットル前後の水道水を供給できる貯水槽を設置（システムキッチンの上部や洗濯機の上部等）し、断水で停電でも通常時と同様に屋内の水栓（流し台等）よりの使用を可能にし、その貯水槽に設置されたセンサー信号を監視盤１６に入力して遮断弁１１の制御、異常ランプ表示、ブザー警報と警報出力１７を発報するものである。【選択図】図１
2006348514.tif 000002
【特許請求の範囲】
【請求項１】
地震、風水害等の災害時・水道管の老朽化・水道工事以外の工事に依る破損時と渇水に依る減圧によって給水不能となり断水が発生した時に、飲料水を簡便に貯水し、一時断水の事態になった時に、断水で停電でも通常時と同様に水圧は減少しているが屋内の水栓よりの使用を可能にし、水道水を供給できることを目的とした緊急災害対応屋内天井吊型重力式家庭用小型貯水槽である。
【発明の詳細な説明】
【技術分野】
【０００１】
本発明は、戸建・高層集合住宅を問わず、各戸に貯水量１世帯１００リットル前後を常時貯水することが可能である設備がなされた場合、災害時に出動する給水車（１台平均２０００リットル）の出動回数は激減し、高齢者、身障者や病気療養中の体力の弱っている方々が断水時に出動する給水車にポリ容器を持って長時間に渡り並ばなくてもよくなり、又健常者や健常者以外のいろいろな人々に対して、通常時と同様に水圧は減少しているが屋内の水栓（流し台等）よりの使用を可能にし、水道水の確保をして災害時等（避難生活）の被災者及び救援者側双方における負担を軽減するものである。
【背景技術】
【０００２】
従来は、戸建において外部又は屋内に貯水槽を設置しこれをポンプで加圧給水、又は高架水槽を設置し重力式で給水を行っている施設もあるが、工事費及びランニングコストを考えた時に一般市民には不可能であり、大部分の戸建住民は地方公共団体の道路の中に敷設されている水道管より直接給水管の引込み、これを利用している。
【０００３】
一方、集合住宅（高層を含む）にあってはその建物（世帯数）によって貯水量はまちまちですが、およそ１日相当分の貯水量を確保できる水槽を設置して、これをポンプ（停電時は使用不可）で加圧して各戸に供給している。
【０００４】
尚、近年において都市部における高層集合住宅での給水方法は、戸建同様に給水本管に給水管を接続して、加圧装置を設置して貯水槽を設置しないで、直接に給水をする方法に替わりつつある。
【０００５】
貯水槽を設置してある場合でも、災害時には１日〜２日経過しても断水状態が続くと水の確保は不可能となり、また戸建においては即断水という事態が発生する。
【０００６】
現状では、各戸（世帯）において、緊急災害時の為に安全な自然落差（重力式）を利用して、通常使用している水栓より水道水が出る小型貯水槽は設置されていない。
【発明の開示】
【発明が解決しようとする課題】
【０００７】
本発明は、自然落差（重力式）を利用するので、通常使用している水栓より高い位置に貯水槽を設置する必要がある。
【０００８】
本発明は、通常時（断水状態でない時）給水圧力に対応可能な容器が必要である。
【０００９】
本発明は、貯水槽及び周辺機器に漏水（水もれ等）の為に、安全対策が必要である。
【００１０】
本発明は、結露（温度差による現象）による水滴の処理を含めた防露及び保温対策が必要である。
【００１１】
本発明は、断水状態となり使用する時に、小型貯水槽の中に自動的に空気が入る様にする必要があり、又復旧工事の完了後給水が開始された時に、空気抜き（排気）して水道水が円滑に流れるようにする必要がある。
【００１２】
本発明は、給水管が断水状態となった時の小型貯水槽から給水管（供給側）へ逆流しない対策が必要である。
【００１３】
本発明は、小型貯水槽から水栓までの配管が災害等で破損した場合、小型貯水槽の水道水を水栓以外のところからも取り出せる対策が必要である。
【課題を解決するための手段】
【００１４】
貯水槽からでる給水は自然落差（重力式）を利用するので、通常使用している水栓より高い位置（システムキッチンの上部や洗濯機の上部等）に貯水槽を設置するものである。
【００１５】
通常時（断水状態でない時）給水圧力に対応可能な容器について、耐蝕、防汚、耐酸等が可能な金属製（ステンレス製等）とし、上水道の使用供給圧力に充分対応し、耐圧試験圧力は使用供給圧力を上まわる圧力で行い、これに耐える容器を採用するものである。
【００１６】
貯水槽及び周辺機器の漏水対策について、金属製（ステンレス製等）容器をプラスチック製容器で全面を囲い込み、容器から漏れ出した水道水がプラスチック製容器に少量でも貯まった場合は、漏水検知をして給水からくる経路に遮断弁を取り付けて、給水を遮断して異常ランプ表示、ブザー警報と警報出力を発報するものである。
【００１７】
結露（温度差による現象）による水滴の処理を含めた防露及び保温対策について、金属製（ステンレス製等）容器は給水温度と室内温度差により結露が想定される為に金属製容器とプラスチック製容器の間に隙間を持たせ、この隙間に保温材を入れて防露及び保温対策をするものである。
【００１８】
断水状態となり使用する時に、小型貯水槽の中に自動的に空気を入れて、水圧の圧力の少ない水道水がスムーズに流れる様にし、又復旧工事の完了後給水が開始された時に、空気抜き（排気）して給水が円滑になるように、空気抜弁を設置するものである。
【００１９】
給水管が断水状態となった時の小型貯水槽から給水管へ逆流しない対策について、小型貯水槽に流入してくる給水管が断水状態になると水圧がなくなり、小型貯水槽の圧力の方が高くなり、給水側に逆流してくることに対して、逆止弁を取り付けて逆流しないように対策をする。
【００２０】
又、給水側と貯水槽間に遮断弁を取り付けて、貯槽内圧力を検知して圧力が低くなった時に自動的に遮断弁を遮断して逆流しないように対策をする。
【００２１】
小型貯水槽から水栓までの配管が災害等で破損した場合、小型貯水槽の水道水を水栓以外のところからも取り出せる対策について、水栓までの配管に手動弁を設置し、手動取り出し口を設置するものである。
【発明の効果】
【００２２】
従来は地震及び風水害等の災害時、ライフラインの一つである給水管の破損により給水不能の断水状況が起きた時に、この家庭用災害緊急飲料水確保の為の屋内設置小型貯水槽を設置することにより、水道水を簡便に貯水し、一時断水（給水不能）の事態になった時に、各戸が１世帯、１日約１２リットル（４人Ｘ３Ｌ／日）、最小でも５〜７日間の量を確保し、断水時、停電時でも水道水を供給できるものである。
【００２３】
通常の水道水は１週間位（７日位）貯めておいても何ら問題なく、通常時は小型貯水槽を経由して給水している為、貯水槽の水道水は交換する必要はないものである。
【発明を実施するための最良の形態】
【００２４】
本発明を述べると、プラスチック製容器の中に金属製容器を入れ、金属製容器とプラスチック製容器の隙間に保温材を入れた二重化された容器に、常時給水管から水道水を供給し、その貯水槽に貯まった水道水を一方から出して通常の水栓に接続して、通常時は貯水槽を経由して水道水を水栓に供給するものである。
【００２５】
地震及び風水害の災害時に断水状態となると、給水管から貯水槽に接続しているところに設置してある逆止弁が働き、貯水槽に水道水が保存され、貯水槽から水栓に接続してあるので、通常の水栓より水道水がでるものである。
【００２６】
小型貯水槽から水栓までの配管が災害等で破損した場合、水栓以外の手動取り出し口から貯水槽に貯まっている水道水を取り出せるものである。
【００２７】
貯水槽の漏水検知と貯水槽残量検知をして、監視盤から商用電気がなくても異常ランプ表示、ブザー警報と警報出力を発報するものである。
【実施例】
【００２８】
本発明は、プラスチック製容器１の中に金属製容器２を入れて、その隙間に保温材３を入れた構造の貯水槽である。
【００２９】
貯水槽に給水管から水道水を供給する貯水槽用給水口４を設置し、その前段に逆止弁１０と遮断弁１１を設置し、貯水槽から通常の水栓に接続する貯水槽出口（水を供給する管）５を設置するものである。
【００３０】
貯水槽の空気を自動的に抜く為の空気抜弁１２を貯水槽の上部に設置するものである。
【００３１】
小型貯水槽の水道水を水栓以外のところからも取り出せるように、水栓までの配管に手動弁１３と手動弁１４と手動取り出し口１５を設置するものである。
【００３２】
貯水槽に漏水検知用センサー６と貯水槽残量検知センサー（貯水槽下位レベル）７と貯水槽残量検知センサー（貯水槽上位レベル）８と貯水槽内圧力スイッチ９を設置し、この信号を監視盤１６に入力して、遮断弁１１の制御、異常ランプ表示、ブザー警報と警報出力１７を発報するものである。
【００３３】
本発明は、戸建・高層集合住宅を問わず、各戸に貯水量１世帯１００リットル前後を常時貯水することが可能である設備がなされた場合、災害時に出動する給水車（１台平均２０００リットル）の出動回数は激減し、高齢者、身障者や病気療養中の体力の弱っている方々が、断水時に出動する給水車にポリ容器を持って長時間に渡り並ばなくてもよくなり、又健常者や健常者以外のいろいろな人々に対して、通常時と同様に水圧は減少しているが屋内の水栓（流し台等）よりの使用を可能にし、水道水の確保をして災害時等（避難生活）の被災者及び救援者側双方における負担を軽減するものである。
【図面の簡単な説明】
【００３４】
【図１】緊急災害対応屋内天井吊型重力式家庭用小型貯水槽を示した平面図である。
【符号の説明】
【００３５】
１  プラスチック製容器
２  金属製容器
３  保温材
４  貯水槽用給水口
５  貯水槽出口（水を供給する管）
６  漏水検知センサー
７  貯水槽残量検知センサー（貯水槽下位レベル）
８  貯水槽残量検知センサー（貯水槽上位レベル）
９  貯水槽内圧力スイッチ
１０  逆止弁
１１  遮断弁
１２  空気抜弁
１３  手動弁
１４  手動弁
１５  手動取り出し口
１６  監視盤
１７  警報出力
【図１】
2006348514.tif 000003